(57)【要約】【課題】光源露出式の利点を活かしつつ、昼間でも本来表現したいロゴが違和感を生じることなく常に適切に表示される看板用照明装置を提供する。【解決手段】ＬＥＤ８とこのＬＥＤ８の発光面側に配置された光学レンズ９とを有する光源２の多数個が取付パネル３にマトリックス状に配置されるとともに、各光源２はレンズ９の一部が取付パネル３に形成された開口３ａを通じて外部に露出されて構成されたものであって、レンズ９は、ＬＥＤ８に臨む面の内、ＬＥＤ８からの光が入射される入射個所以外の部分が取付パネル３の表面色と略同色に塗料１６で着色されている。【選択図】図２
2009036953.tif 000002
【特許請求の範囲】
【請求項１】
点状の発光素子とこの発光素子の発光面側に配置された光学レンズとを有する光源の多数個が取付パネルにマトリックス状に配置されるとともに、前記各光源は前記レンズの一部が前記取付パネルに形成された開口を通じて外部に露出されて構成されたものであって、前記レンズは、前記発光素子に臨む面の内、前記発光素子からの光が入射される入射個所以外の部分が前記取付パネルの表面色と略同色に着色されていることを特徴とする看板用照明装置。
【請求項２】
前記レンズの前記発光素子からの光が入射される入射個所以外の部分に対する着色は、レンズの表面に塗料を塗布することで形成されていることを特徴とする請求項１記載の看板用照明装置。
【請求項３】
前記レンズの前記発光素子からの光が入射される入射個所以外の部分に対する着色は、当該面の形状に沿って着色部材を別途設けることにより形成されていることを特徴とする請求項１記載の看板用照明装置。
【請求項４】
前記レンズは、前記発光素子からの光が入射される入射個所以外の部分が着色される代わりに、前記開口を通じて外部に露出された外部露出側に臨む面の内、前記発光素子からの光が出射される出射個所以外の部分が前記取付パネルの表面色と略同色に着色されていることを特徴とする請求項１記載の看板用照明装置。
【発明の詳細な説明】
【技術分野】
【０００１】
本発明は、広告用の文字や図形などのロゴを照明表示するために、発光ダイオード（ＬＥＤ）等の点状の発光素子の多数個が外部に露出された状態で取付パネルにマトリックス状に配置されて構成された看板用照明装置に関する。
【背景技術】
【０００２】
広告用の文字や図形などのロゴを照明表示する看板用照明装置としては、従来、例えば筐体の前面側にロゴが印刷された前面パネルを取り付け、また、筐体の内部に前面パネルを照明するバックライト用の光源を配置した、いわゆる内照式のものがある。
【０００３】
この内照式の看板用照明装置のバックライト用の光源としては、ネオン管が広く使用されているが、ネオン管は寿命が比較的短く、短期間で交換を行う必要があるため、メンテナンスに手間がかかるとともに、ランニングコストが高くつくといった不具合がある。
【０００４】
そのため、従来技術では、ＬＥＤをバックライト用の発光素子として使用して長寿命化を図り、従来の不具合を改善するようにした提案がなされている（例えば、特許文献１参照）。
【０００５】
この場合、バックライト用の発光素子となるＬＥＤは点光源であるので、単純に前面パネルの裏面側に複数個のＬＥＤを配置した場合には、前面パネルに輝度ムラが生じ、前面パネルを均一に照明することが難しい。そこで、特許文献１では、ＬＥＤの発光面側に朝顔形状の反射面を有するレンズを配置し、このレンズの反射面でＬＥＤから出射された光を拡散反射することにより、輝度ムラの発生を抑えて前面パネルをできるだけ均一に照明できるようにしている。
【０００６】
しかしながら、上記の特許文献１のものは、輝度ムラの発生を抑えることができても、ＬＥＤはあくまでバックライト用の光源として使用する内照式のものである。このため、ＬＥＤから出射された光は前面パネルに遮られて全体の輝度が低下することは避けられず、看板に必要な遠方からの視認性が不足し易い。また、地震等によって前面パネルが不意に落下する危険性を伴うため、大型化が難しいなどの問題がある。
【０００７】
そこで、前面パネルを備えた内照式の代わりに、多数のＬＥＤをマトリックス状に配置してこれらの各ＬＥＤを取付パネルに直接に取り付けることにより、ロゴを形成したものが提案されている（例えば、特許文献２参照）。
【０００８】
この場合、前述のように発光素子となるＬＥＤは点光源であるので、輝度ムラが生じることなく所要のロゴを表示するために、ロゴの表示個所となる全領域にわたって多数のＬＥＤをマトリックス状に稠密に敷き詰めると、多数のＬＥＤが必要になってコストアップとなるだけでなく、消費電力も増加する。
【０００９】
そのため、従来は、図９ないし図１１に示すように、ＬＥＤ８の発光面側にすり鉢状の反射面を有する光拡散用のレンズ９を配置して光源２を構成し、この光源２の多数個を取付パネル３にマトリックス状に配置するとともに、各光源２のレンズ９の一部が取付パネル３に形成された開口３ａを通じて外部に露出するように取り付けることにより看板ユニット４を構成し、この看板ユニット４を筐体に取り付けることにより看板用照明装置を構成するものが考えられている。以下、この種の構成のものを光源露出式と称する。
【００１０】
この光源露出式の看板用照明装置は、ＬＥＤ８から出射された光がレンズ９で拡散反射されるとともに、レンズ９から出た光は取付パネル３でも拡散反射されるため、光源２の数が比較的少なくても輝度むらの発生を抑えて明るく均一に照明することができ、余分なコストアップを低減できる利点がある。なお、１０はＬＥＤ実装用の基板、１１はモールド樹脂、１３は電線である。
【特許文献１】特開２００７−０４８８８３号公報
【特許文献２】特開２００４−１５０９８２号公報
【発明の開示】
【発明が解決しようとする課題】
【００１１】
図９ないし図１１に示した構成の場合、夜間では日光がないので、点灯されたＬＥＤ８からの光がレンズ９を通過して外部に出射され、その一部が取付パネル３でも拡散反射されるので、例えば、“Ｌ”という文字を模った場合には、図１０に示すように“Ｌ”という文字が単純に浮かび上がって見えることになる。
【００１２】
ところが、昼間は日光によって看板ユニット４が明るく照らされるので、図１１に示すように、ＬＥＤ８を点灯した状態であってもレンズ９を通してＬＥＤ８が実装された基板１０がそのまま外部から透けて見えてしまう。このため、一見したところ、本来表現したいロゴとは別のロゴとして表現された状態となって違和感を生じたり、美観上、見苦しくなることがある。
【００１３】
本発明は、上記の課題を解決するためになされたもので、光源露出式の利点を活かしつつ、昼間でも本来表現したいロゴが違和感を生じることなく常に適切に表示される看板用照明装置を提供することを目的とする。
【課題を解決するための手段】
【００１４】
上記の目的を達成するために、請求項１記載の発明に係る看板用照明装置は、点状の発光素子とこの発光素子の発光面側に配置された光学レンズとを有する光源の多数個が取付パネルにマトリックス状に配置されるとともに、前記各光源は前記レンズの一部が前記取付パネルに形成された開口を通じて外部に露出されて構成されたものであって、前記レンズは、前記発光素子に臨む面の内、前記発光素子からの光が入射される入射個所以外の部分が前記取付パネルの表面色と略同色に着色されていることを特徴としている。
【００１５】
請求項２記載の発明に係る看板用照明装置は、請求項１記載の発明の構成において、前記レンズの前記発光素子からの光が入射される入射個所以外の部分に対する着色は、レンズの表面に塗料を塗布することで形成されていることを特徴としている。
【００１６】
請求項３記載の発明に係る看板用照明装置は、請求項１記載の発明の構成において、前記レンズの前記発光素子からの光が入射される入射個所以外の部分に対する着色は、当該面の形状に沿って着色部材を別途設けることにより形成されていることを特徴としている。
【００１７】
請求項４記載の発明に係る看板用照明装置は、請求項１記載の発明の構成において、前記レンズは、前記発光素子からの光が入射される入射個所以外の部分が着色される代わりに、前記開口を通じて外部に露出された外部露出側に臨む面の内、前記発光素子からの光が出射される出射個所以外の部分が前記取付パネルの表面色と略同色に着色されていることを特徴としている。
【発明の効果】
【００１８】
請求項１記載の発明に係る看板用照明装置は、レンズの発光素子に臨む面の内、発光素子からの光が入射される入射個所以外の部分が取付パネルの色と略同色に着色されているので、昼間の外光によりレンズを通してＬＥＤが実装された基板が外部から透けてそのまま視認されてしまう不具合を防止することができ、昼間でも本来表現したいロゴが違和感を生じることなく常に適切に表示することが可能となる。
【００１９】
請求項２記載の発明に係る看板用照明装置は、レンズの発光素子からの光が入射される入射個所以外の部分に対する着色は、レンズの表面に塗料を塗布することで形成されているので、簡便かつ低コストで実施することができる。
【００２０】
請求項３記載の発明に係る看板用照明装置は、レンズの発光素子からの光が入射される入射個所以外の部分に対する着色は、当該面の形状に沿って着色部材を別途設けることにより形成されているので、光の出射効率を損なうことなく、着色範囲を規定する個所を精度良く設定することができる。
【００２１】
請求項４記載の発明に係る看板用照明装置は、レンズの開口を通じて外部に露出された外部露出側に臨む面の内、発光素子からの光が出射される出射個所以外の部分が取付パネルの色と略同色に着色されているので、レンズの取付パネルの表面に近接した個所が着色されることになって、昼間でもレンズと取付パネルの色が同じになり、見た目が改善される。また、レンズ自体を予め着色しておけば、後工程での着色処理が不要となり、コスト削減を図ることができる。
【発明を実施するための最良の形態】
【００２２】
以下、本発明の実施の形態について、図面を参照して詳しく説明する。
【００２３】
（実施の形態１）
図１は本発明の実施の形態１における看板用照明装置の一例を示す平面図、図２は同装置の要部を拡大して示す断面図、図３は同装置の看板ユニットの分解斜視図、図４は光源を取付パネルに取り付ける場合の組み立て説明図である。また、図５は光源を構成するレンズの斜視図、図６は光源から出射される光の照射状態の説明図である。なお、図９ないし図１１に示した従来技術と対応もしくは相当する構成部分には同一の符号を付す。
【００２４】
この実施の形態１の看板用照明装置１は、光源２の多数個が取付パネル３にマトリックス状に配置固定されており、これによって広告用の文字や図形などを模ったロゴを照明表示する看板ユニット４が構成されている。そして、この看板ユニット４がフレーム５に取り付けられている。なお、図１に示す看板ユニット４は、一例として、“Ｌ”という文字を模った場合を示しているが、これに限定されるものではなく、他の文字や図形を模ったものであってもよい。
【００２５】
各光源２は、点状の発光素子としてのＬＥＤ８、このＬＥＤ８の発光面側に配置された光学レンズ９、およびＬＥＤ８が実装される基板１０がモールド樹脂１１で一体化されてなる。
【００２６】
そして、レンズ９は、その一部が取付パネル３に形成された開口３ａを通じて外部に露出されるとともに、取付パネル３の開口３ａ近傍に形成された一対の取付穴３ｂに略Ｕ字状に形成された取付金具１２の上端部１２ａを掛止することによって取付パネル３に一体に取り付けられている。また、基板１０にはモールド樹脂１１を貫通して電力供給用の電線１３が接続されている。なお、ここでは取付金具１２を使用して光源２を取付パネル３に固定しているが、取付金具１２をせずに、接着やネジ止め出力端子の他の固定手段を用いることもできる。
【００２７】
上記のレンズ９は、例えばガラスやアクリル樹脂などの材料でできており、モールド樹脂１１内に埋設された四角形のキャップ状の基部９ａ、この基部９ａから突出された略円柱状の本体部９ｂとからなる。そして、本体部９ｂが前述の開口３ａを通じて外部に露出されており、その露出側に臨む面は断面略円弧状をしたすり鉢状に形成される一方、レンズ９の基部９ａのＬＥＤ８に臨む側の面は、ＬＥＤ８からの光が入射される入射個所以外の部分が取付パネル３の色と同色、あるいは互いに近い色調をもつ同系色に着色されている。例えば、取付パネル３の表面色が白色の場合には、レンズ９の基部９ａの着色個所は白色になっている。
【００２８】
この場合の着色は、本例では、基部９ａのＬＥＤ８からの光が入射される入射個所以外の部分の表面に塗料１６を塗布することで形成されている。このように、塗料１６を用いれば、簡便に着色を行うことができ、低コストで実施することができる。
【００２９】
この実施の形態１の光源露出式の看板用照明装置１において、ＬＥＤ８を点灯した場合、図６に示すように、レンズ９の光軸近傍ではレンズ９の外部に直接出射され、また、光軸から外れた周辺部に達する光は、本体部９ｂのすり鉢状の内面で反射されて側面から出射された後、取付パネル３の表面に照射され、取付パネル３によってさらに拡散反射される。これにより、多数の光源２を稠密にマトリックス状に配置しなくても、比較的少ない個数の光源２を用いても輝度むらの発生を抑えて看板ユニット４全体を明るく均一に照明することができる。
【００３０】
しかも、この実施の形態１では、レンズ９の基部９ａのＬＥＤ８に臨む側の面において、ＬＥＤ８からの光が入射される入射個所以外の部分が塗料１６によって取付パネル３の色と略同色に着色されているので、昼間の外光によりレンズ９を通してＬＥＤ実装用の基板１０が外部から透けて視認されてしまうといった不具合を防止することができる。  したがって、図１に示すように例えば、看板ユニット４として“Ｌ”という文字を模った場合には、昼間であっても“Ｌ”という文字が浮かび上がって見えることになり、本来表現したいロゴが違和感を生じることなく常に適切に表示することが可能となる。また、昼間であっても基板１０は直接に見えないので、美観上、見苦しくなることもない。
【００３１】
なお、夜間では点灯されたＬＥＤ８からの光がレンズ９を通過して外部に出射され、その一部が取付パネル３でも拡散反射されるので、図１０に示したように“Ｌ”という文字が単純に浮かび上がって見えることになる。
【００３２】
（実施の形態２）
上記の実施の形態１では、レンズ９の基部９ａにおいて、ＬＥＤ８からの光入射個所以外の部分の表面に塗料１６を塗布することにより着色しているが、この実施の形態２では、図７に示すように、基部９ａの表面の形状に沿って形成された着色部材１７を一体に被覆することにより着色を行っている。
【００３３】
このように着色部材１７を被覆すれば、ＬＥＤ８からの光の出射効率を損なうことなく、着色範囲を規定する個所を精度良く設定することができるという利点がある。
【００３４】
（実施の形態３）
上記の実施の形態１では、レンズ９の基部９ａにおいて、ＬＥＤ８からの光入射個所以外の部分の表面に塗料１６を塗布することにより着色しているが、この実施の形態３では、図８に示すように、本体部９ｂのすり鉢状の外面の内、ＬＥＤ８からの光が出射される光軸近傍の出射個所以外の部分が塗料１６によって取付パネル３の色と略同色に着色されている。
【００３５】
この構成の場合には、レンズ９の取付パネル３の表面に近接した本体部９ｂが着色されることになるので、昼間でもレンズ９と取付パネル３が同色になり易く、見た目が改善される。
【００３６】
なお、上記の各実施の形態１〜３において、塗料１６や着色部材１７を使用する代わりに、レンズ９自体を部分的に予め着色しておけば、後工程での着色処理が不要となり、コスト削減を図ることができる。
【図面の簡単な説明】
【００３７】
【図１】本発明の実施の形態１における看板用照明装置の一例を示す平面図である。
【図２】同装置の要部を拡大して示す断面図である。
【図３】同装置の看板ユニットの分解斜視図である。
【図４】光源を取付パネルに取り付ける場合の組み立て説明図である。
【図５】光源を構成するレンズの斜視図である。
【図６】光源から出射される光の照射状態の説明図である。
【図７】本発明の実施の形態２における看板用照明装置のレンズに対する着色手段を示す斜視図である。
【図８】本発明の実施の形態３における看板用照明装置の要部を拡大して示す断面図である。
【図９】従来の看板用照明装置の要部を拡大して示す断面図である。
【図１０】従来の看板用照明装置の夜間における照明状態の一例を示す平面図である。
【図１１】従来の看板用照明装置の昼間における照明状態の一例を示す平面図である。
【符号の説明】
【００３８】
１    看板用照明装置
２    光源
３    取付パネル
３ａ  開口
４    看板ユニット
８    ＬＥＤ（発光素子）
９    レンズ
９ａ  基部
９ｂ  本体部
１０    基板
１６    塗料
１７    着色部材
【図１】
2009036953.tif 000003
【図２】
2009036953.tif 000004
【図３】
2009036953.tif 000005
【図４】
2009036953.tif 000006
【図５】
2009036953.tif 000007
【図６】
2009036953.tif 000008
【図７】
2009036953.tif 000009
【図８】
2009036953.tif 000010
【図９】
2009036953.tif 000011
【図１０】
2009036953.tif 000012
【図１１】
2009036953.tif 000013